(57)【要約】【課題】シーリング材など作業上扱いにくく、また、ふき取り等の補修作業を必要とするような作業性の悪い構造でなく、壁パネルの裏面に突出物がないようにして簡単で確実に止水処置が施される壁パネルの取付構造を提供すること。【解決手段】上下梁１１，１２間に間隔を空けて複数本の間柱１３が掛け渡し配置されており、上下梁１１，１２と隣接する間柱１３とに周辺部が臨むように壁パネル１を取り付ける構造において、壁パネル１には、間柱１３に臨む周辺部に適宜間隔で取付プレート２を嵌め込む凹所１ａを複数形成し、凹所１ａの内部表面に凹所１ａの深さより厚みの小さい取付プレート２を固定し、壁パネル１と上下梁１１，１２及び隣接する間柱１３との間に弾性止水板４を配設し、間柱１３から取付プレート２への固定具３にて壁パネル１を間柱１３に押し付けて、弾性止水板４を圧接しつつ固定した壁パネル１の取付構造。 【選択図】  図１
2006328654.tif 000002
【特許請求の範囲】
【請求項１】
上下梁間に間隔を空けて複数本の間柱が掛け渡し配置されており、前記上下梁と隣接する前記間柱とに周辺部が臨むように壁パネルを取り付ける壁パネルの取付構造において、
前記壁パネルには、前記間柱に臨む周辺部に適宜間隔で取付プレートを嵌め込む凹所を複数形成し、
該凹所の内部表面に該凹所の深さより厚みの小さい前記取付プレートを固定し、
前記壁パネルと前記上下梁及び隣接する前記間柱との間に弾性止水板を配設し、前記間柱から前記取付プレートへの固定具にて前記壁パネルを前記間柱に押し付けて、前記弾性止水板を圧接しつつ固定したことを特徴とする壁パネルの取付構造。
【請求項２】
請求項１において、
２枚の前記壁パネルが目地の間隔を空けて前記間柱に臨み、前記弾性止水板が前記目地を越えて両前記壁パネルに臨み、前記目地には見栄えと防水とを兼ねたガスケットを装着したことを特徴とする壁パネルの取付構造。
【請求項３】
請求項１又は２において、
前記固定具は、デージーリベットであり、前記間柱及び前記取付プレートには、前記デージーリベットの貫通孔が設けられ、前記凹所には、前記デージーリベットの先端を逃げる逃げ凹所が形成されていることを特徴とする壁パネルの取付構造。
【請求項４】
請求項１又は２において、
前記固定具は、雄ねじであり、前記取付プレートには前記雄ねじに螺合する雌ねじが形成され、前記凹所には、前記雄ねじの先端を逃げる逃げ凹所が形成されていることを特徴とする壁パネルの取付構造。
【請求項５】
請求項１〜４のいずれか１項において、
前記取付プレートは、前記壁パネルとほぼ面一かそれ以下で前記凹所に嵌め込み固定されていることを特徴とする壁パネルの取付構造。
【発明の詳細な説明】
【技術分野】
【０００１】
この発明は、建物の上下梁間に間隔を空けて掛け渡される複数本の間柱で構成される面に、壁パネルを取り付ける壁パネル取付構造に関するものである。
【背景技術】
【０００２】
従来、長方形板状の標準の壁パネルでは取り付け位置が一定であり、壁パネルの素板成型の際に取付プレート一体に成型するのが効率がよい場合がある。
【０００３】
しかし、出隅部や入隅部等の特殊な形状の壁、傾斜屋根に沿った上縁又は下縁を有する壁等では取付プレートの位置が標準の壁パネルの取付プレートの位置と異なっている。
標準と異なった位置に取付プレートを取り付ける場合、壁パネル成型後に取付プレートを取り付けることになるので、生産効率はよいが、壁パネルの裏面から取付プレートがその厚みだけ突出した状態となる。
【０００４】
この種の壁パネル取付構造としては、軽量気泡コンクリート等の無機質板状体からなる壁パネルの裏面に取付プレートをビスや釘等で取り付け、建物躯体に取り付ける構造が知られている（特許文献１）。
【０００５】
しかしながら、壁パネルと取付金具との間の防水のためにシーリング材を塗布する必要があり、塗布後ビス固定するとシーリング材がはみ出しふき取り補修を必要とすることがある。また、壁パネルの裏面が面一でないため、壁パネルと間柱間の止水が困難であった。
【０００６】
【特許文献１】特開平１１−３３６２２０
【発明の開示】
【発明が解決しようとする課題】
【０００７】
そこで、この発明は、シーリング材など作業上扱いにくく、また、ふき取り等の補修作業を必要とするような作業性の悪い構造でなく、壁パネルの裏面に突出物がないようにして簡単で確実に止水処置が施される壁パネルの取付構造を提供することを目的としている。
【課題を解決するための手段】
【０００８】
この目的を達成するため、請求項１の発明は、上下梁間に間隔を空けて複数本の間柱が掛け渡し配置されており、前記上下梁と隣接する前記間柱とに周辺部が臨むように壁パネルを取り付ける壁パネルの取付構造において、前記壁パネルには、前記間柱に臨む周辺部に適宜間隔で取付プレートを嵌め込む凹所を複数形成し、該凹所の内部表面に該凹所の深さより厚みの小さい前記取付プレートを固定し、前記壁パネルと前記上下梁及び隣接する前記間柱との間に弾性止水板を配設し、前記間柱から前記取付プレートへの固定具にて前記壁パネルを前記間柱に押し付けて、前記弾性止水板を圧接しつつ固定したことを特徴とする壁パネルの取付構造としている。
【０００９】
このため、壁パネルの凹所内に取付プレートが収まり、裏面が凹所以外面一となって、取付プレートと壁パネルとの間の止水を考えることなく、弾性止水板を圧縮することによって壁パネルと間柱との間の止水を容易にする。
【００１０】
また、請求項２の発明は、請求項１において、２枚の前記壁パネルが目地の間隔を空けて前記間柱に臨み、前記弾性止水板が前記目地を越えて両前記壁パネルに臨み、前記目地には見栄えと防水とを兼ねたガスケットを装着したことを特徴とする壁パネルの取付構造としている。
【００１１】
このため、弾性止水板とガスケットとにより、二重に止水することとなり、止水処理としては万全である。
【００１２】
また、請求項３の発明は、請求項１又は２において、前記固定具は、デージーリベットであり、前記間柱及び前記取付プレートには、前記デージーリベットの貫通孔が設けられ、前記凹所には、前記デージーリベットの先端を逃げる逃げ凹所が形成されていることを特徴とする壁パネルの取付構造としている。
【００１３】
このため、間柱側から壁パネルの反対側に手が届かなくても壁パネルを一方向から容易に取付、止水処理をする。
【００１４】
また、請求項４の発明は、請求項１又は２において、前記固定具は、雄ねじであり、前記取付プレートには前記雄ねじに螺合する雌ねじが形成され、前記凹所には、前記雄ねじの先端を逃げる逃げ凹所が形成されていることを特徴とする壁パネルの取付構造としている。
【００１５】
このため、デージーリベットと同様壁パネルを一方向から容易に取付、止水処理をする。
【００１６】
さらに、請求項５の発明は、請求項１〜４のいずれか１項において、前記取付プレートは、前記壁パネルとほぼ面一かそれ以下で前記凹所に嵌め込み固定されていることを特徴とする壁パネルの取付構造としている。
【００１７】
このため、凹所から取付パネルが突出することなく取り付けられ、壁パネルの裏面が面一となり、弾性止水板を連続して均一に凹圧し、間柱との間の止水がなされる。
【発明の効果】
【００１８】
この請求項１の発明の構成によれば、壁パネルの凹所内に取付プレートが収まり、裏面が凹所以外面一となって、取付プレートと壁パネルとの間の止水を考えることなく、弾性止水板を連続的に均一に圧縮することによって壁パネルと間柱との間の止水ができ、簡単で確実に止水処置が施される壁パネルの取付構造を提供することができる。
【００１９】
また、請求項２の発明の構成によれば、請求項１の効用に加え、ガスケットにより二重に止水することとなり、より完全な止水をすることができる。
【００２０】
また、請求項３の発明の構成によれば、請求項１又は２の効用に加え、間柱側から壁パネルの反対側に手が届かなくても壁パネルを一方向から容易に取付、止水処理をすることができる。
【００２１】
また、請求項４の発明の構成によれば、請求項１又は２の効用に加え、デージーリベットと同様壁パネルを一方向から容易に取付、止水処理をすることができる。
【００２２】
さらに、請求項５の発明の構成によれば、請求項１〜４のいずれか１項の効用に加え、
壁パネルは、凹所から取付パネルが突出することなく取り付けられ、壁パネルの裏面が面一となり、弾性止水板を連続して均一に凹圧し、間柱との間の止水がなされる。
【発明を実施するための最良の形態】
【００２３】
以下、この発明の実施の形態を図面に基づいて説明する。
【実施例１】
【００２４】
図１〜図３は、この発明の壁パネルの取付構造に関する一実施例を示すもので、図１は本発明の壁パネル取付構造を示す水平断面図であり、図２は図１の壁パネルの取付構造の分解斜視図であり、図３は壁パネルへの取付プレートの取付を示す要部分解斜視図である。
【００２５】
図２に示すように、建物躯体１０は、上下梁１１，１２間に間隔を空けて複数本の間柱１３が掛け渡し配置されて形成されている。この上下梁１１，１２と間柱１３は断面コ字状をなす鉄製チャンネル材で構成されており、それぞれは一般に溶接やボルトナットで面一となるように固定され枠組みが形成されている。この上下梁１１，１２と隣接する間柱１３とに壁パネル１の周辺部が臨んで、この空間を塞ぐように壁パネル１を取り付ける構造にしている。
【００２６】
壁パネル１は、強度、耐久性、耐候性、外観に優れた平板状であり、例えば、アルミノシリケート系の無機質発泡成形体の板状体で、具体的な例としては、縦２８００mm、横９００mm、厚さ３０mm寸法である。この壁パネル１には、間柱１３に臨む周辺部に適宜間隔で取付プレート２を嵌め込み固定する凹所１ａを複数形成している。凹所１ａは、取付プレート２の厚みに等しいか、わずかに深く、かつ壁パネル１の裏面側の左右両側周辺部に、４〜６個形成されている。
【００２７】
凹所１ａは、図３に拡大して示されており、壁パネル１の両側からそれぞれ５mmほど入った位置から設けられ、例えば、縦１００mm、横５０mm、深さ２mmである。この凹所１ａの大きさ、個数は、ここに嵌め込み固定される取付プレート２の強度とともに壁パネル１を支持できるかどうかで決定される。さらに、この凹所には、壁パネル１の固定具３であるデージーリベットあるいは雄ねじの先端を逃がすための逃げ凹所１ｂが形成されている。
【００２８】
この取付プレート２は、同じく図３に拡大して示されており、剛性上、ステンレス又は鉄製が好ましく、また、凹所１ａよりやや小さく、凹所１ａの深さより厚みが小さい。例えば、この取付プレート２は、縦９５mm、横４５mm、厚さ１．２mmの寸法で、間柱１３の幅の半分位置に取付位置が来るので中央より幾分横にずれた位置に固定具３を通す貫通孔２ａが形成され、この貫通孔２ａを放射状に取り巻くように３個のビス孔２ｂが設けられている。従って、取付プレート２は、貫通孔２ａが逃げ凹所１ｂと一致するように壁パネル１の凹所１ａにビス５で嵌め込み固定され、壁パネル１はその裏面が面一となり、凹所１ａの位置も取付プレート２が沈んだ状態となっている。
【００２９】
また、固定具３が雄ねじである場合は、取付プレート２の貫通孔２ａに、この雄ねじに螺合する雌ねじを直接形成するか、ウェルドナットを溶着する。
【００３０】
図１及び図２で示すように、壁パネル１と上下梁１１，１２及び隣接する間柱１３との間に弾性止水板４を配設している。具体的には、予め、弾性止水板４を間柱１３に貼り付けている。間柱１３側から取付プレート２への固定具３にて壁パネル１を間柱１３に押し付けて弾性止水板４を圧接しつつ固定した壁パネル１の取付構造としている。
【００３１】
弾性止水板４は、樹脂発泡体のような弾性を有し、押圧により止水性能を増すものであり、間柱１３の幅を有し、上下梁１１，１２と間柱１３とを覆う長さを有している。  弾性止水板４の幅は、隣接する壁パネル１の間隙である目地６を越えて、さらに凹所１ａの横幅を越えて間柱１３の幅相当であることが望ましい。止水だけを考えるならば、壁パネル１の両側で周辺部で凹所１ａの外側の上下に連続した面一の面が弾性止水板４で覆うように配設されていればよく、凹所１ａに水が入り、固定具３を伝って水が入ることはない。また、この例では、弾性止水板４は、厚さ４mm程度のものが、固定具３で固定されたとき、厚さ２mm程度になるものが採用されている。
【００３２】
また、図１に示すように、２枚の壁パネル１が間柱１３上で目地６の間隔を空けて間柱１３に臨み、弾性止水板４が目地６を越えて両壁パネル１に臨んでいる。この目地６には空間を塞ぎ、見栄えと防水とを兼ねたガスケット７を装着している。このガスケット７は、樹脂で押し出し成形等で作られるもので、断面で両側に目地６幅より大きく延びるフィンを設けた長尺ものとされている。
【００３３】
なお、壁パネル１への凹所１ａの成型は、成形型に凹所１ａに対応した凸部を設けておき、硬化前に凹所１ａを形成し、凹所１ａ付きの成型体とすることも可能である。この様にすると、成型時には、取付プレート２の取り付けがないので成型は大幅に容易である。
【００３４】
また、裏面を平面として、或いは凹所形成可能箇所を浅い凹所１ａとした壁パネル１を用意し、凹所１ａの必要なところに、ルーターなどの切削加工手段で所定の深さの凹所１ａを切削加工することも可能である。この様にすると、裏が平面の場合、凹所１ａの位置を任意にでき、成型はさらに容易になる。浅い凹所１ａを形成しておく場合、切削で精度を出すので、凹所１ａの成型精度は不要であり、切削量が少なくなるので廃棄物は少なく、しかも加工手段の負荷は小さい。
【００３５】
さらには、本発明では、標準のパネルについては取付プレート２を成型時に一体に成型する物とし、特殊な部分の壁パネルは壁パネルの凹所１ａに取付プレート２を嵌め込み固定するようにすることにより、壁パネル１の厚み方向の収まりを共通にできる。
【００３６】
次に、建物躯体１０への壁パネル１の取付を説明する。
【００３７】
上下梁１１，１２と間柱１３とで、図２において背面側が面一となるように組み付けられた建物躯体１０に対し、壁パネル１を取り付けるに当たり、以下のことをする。
【００３８】
まず、図１〜図３で示されるように、壁パネル１の何カ所もの凹所１ａに取付プレート２を嵌め込み、ビス５で固定する。一方、間柱１３に弾性止水板４を貼り付けておく。取り付けパネル２が取り付けられた、隣接する２枚の壁パネル１を図１のように間柱１３の幅内で、目地６だけ空けて端部が突き合わせ状態に配置する。勿論、弾性止水板４を両壁パネル１に跨るように、間柱１３と両壁パネル１の間に配置しても良い。
【００３９】
この状態で、既に明けられている間柱１３の孔１３ａ、弾性止水板４の孔４ａ、更に取付プレート２の貫通孔２ａに固定具３であるデージーリベットを貫通させて、先端を逃げ凹所１ｂに突き出させる。次に、公知のように、軸３ａを引き出すことにより、軸先端の頭部３ｂが外筒３ｃを横方向に膨らませ、鍔部３ｄとの間で大きな挟着力を発揮する。この挟着力は、壁パネル１を間柱１３すなわち建物躯体１０に押しつけ固定する。したがって、弾性止水板４を、４mmから２mmくらいに圧縮し、防水機能を高める。引き出した余分の軸３ａは、公知のごとく切断される。
【００４０】
固定具３が雄ねじである場合もデージーリベットとほぼ同じであるので説明を省略する。
【００４１】
最後に、目地６には、ガスケット７を押し込み、目地６から建物躯体１０内への最初の浸水を防ぐ。
【図面の簡単な説明】
【００４２】
【図１】本発明の壁パネルの取り付け構造を示す水平断面図である。
【図２】建物躯体への壁パネルの取り付け構造を示す分解斜視図である。
【図３】壁パネルへの取り付けプレートの取付を示す分解斜視図である。
【符号の説明】
【００４３】
１・・・壁パネル
１ａ・・・凹所
２・・・取り付けプレート
３・・・固定具
４・・・弾性止水板
６・・・目地
７・・・ガスケット
１０・・・建物躯体
１１・・・上梁
１２・・・下梁
１３・・・間柱
【図１】
2006328654.tif 000003
【図２】
2006328654.tif 000004
【図３】
2006328654.tif 000005